(57)【要約】【課題】  指紋を認証することによりエレベータの運行を制御するエレベータ制御装置における指紋読取部を常に清浄化し得るエレベータ制御装置を提供すること。【解決手段】  エレベータの運行制御を行う制御盤２と、エレベータのかごまたは乗り場に設けられ、読取った指紋を前記制御盤に出力することにより利用者の認証を行わせる指紋読取部５と、前記制御盤によってエレベータが利用されていないと判断された時に前記指紋読取部に紫外線を照射する紫外線照射装置７と、を有することを特徴とするエレベータ制御装置。【選択図】  図１
2006188328.tif 000002
【特許請求の範囲】
【請求項１】
エレベータの運行制御を行う制御盤と、
エレベータのかごまたは乗り場に設けられ、読取った指紋を前記制御盤に出力することにより利用者の認証を行わせる指紋読取部と、
前記制御盤によってエレベータが利用されていないと判断された時に前記指紋読取部に紫外線を照射する紫外線照射装置と、
を有することを特徴とするエレベータ制御装置。
【請求項２】
前記読取部の近傍を検出する人感センサを設け、前記人感センサが人を検知していない時に前記紫外線照射装置を動作させてなることを特徴とする請求項１記載のエレベータ制御装置。
【請求項３】
エレベータの運行制御を行う制御盤と、
エレベータのかごまたは乗り場に設けられ、読取り面に循環供給されるシートを介して読取った指紋を前記制御盤に出力することにより利用者の認証を行わせる指紋読取部と、
前記制御盤によってエレベータが利用されていないと判断された時に循環回収された前記シートを清掃する清掃装置と、
を有することを特徴とするエレベータ制御装置。
【請求項４】
エレベータの運行制御を行う制御盤と、
エレベータのかごまたは乗り場に設けられ、読取った指紋を前記制御盤に出力することにより利用者の認証を行わせる指紋読取部と、
前記制御盤によってエレベータのドアが閉じていると判断された時に前記指紋読取部の読取り面を覆うカバーと、
前記カバーで覆われた状態で前記指紋読取部に紫外線を照射する紫外線照射装置と、
を有することを特徴とするエレベータ制御装置。
【請求項５】
前記カバーが前記指紋読取部の読取り面を覆った状態の時に前記指紋読取部に紫外線が照射されている旨を表示する表示部を設けたことを特徴とする請求項４記載のエレベータ制御装置。
【請求項６】
前記かご内に設けられ、火気を検出した場合に前記カバーにより前記指紋読取部を覆う火気検出手段を有することを特徴とする請求項４記載のエレベータ制御装置。
【発明の詳細な説明】
【技術分野】
【０００１】
本発明は、エレベータ制御装置に係わり、特にエレベータの動作に利用者の認証を関連させるようにしたエレベータ制御装置に関する。
【背景技術】
【０００２】
近年、セキュリティ向上の必要性が高まり、建物に出入りする利用者の認証のための認証システムが導入され、建物設備であるエレベータにも、利用者を認証して安全性を高めるシステムが採用されている。
【０００３】
このような指紋認証システムを用いたエレベータ制御装置として、例えば特許文献１に示されたエレベータが知られている。
【０００４】
すなわち、図９に示すように、巻上機１により昇降されるカゴ２があり、巻上機１は制御盤３により動作制御される。制御盤３には、乗り場操作盤４、ならびにカゴ２内の指紋読取部５に接続された指紋判断手段６が接続されており、この指紋判断手段６の検出結果に応じて巻上機１の制御を行う。
【特許文献１】特開平５−１３９６４１号公報
【発明の開示】
【発明が解決しようとする課題】
【０００５】
指紋読取部５は、多数の不特定人が接触するものであるから、汚染が避けられず、読み取り精度を損なったり、衛生上の不具合を生じたりする。しかし、指紋読取部を清掃する動作は指紋認証を妨げるものであった。
【０００６】
本発明は上述の点を考慮してなされたもので、指紋を認証することによりエレベータの運行を制御するエレベータ制御装置における指紋読取部を常に清潔化し得るエレベータ制御装置を提供することを目的とする。
【課題を解決するための手段】
【０００７】
上記目的達成のため、本発明では、
エレベータの運行制御を行う制御盤と、
エレベータのかごまたは乗り場に設けられ、読取った指紋を前記制御盤に出力することにより利用者の認証を行わせる指紋読取部と、
前記制御盤によってエレベータが利用されていないと判断された時に前記指紋読取部に紫外線を照射する紫外線照射装置と、
を有することを特徴とするエレベータ制御装置、
を提供するものである。
【発明の効果】
【０００８】
本発明は上述のように、例えばエレベータの利用がない時に紫外線照射装置を用いて指紋読取部の殺菌を行うようにしたため、指紋読取部が常に清潔に保たれると共に読取り精度の低下を防止できる。
【発明を実施するための最良の形態】
【０００９】
以下、図１乃至図８を参照して本発明の実施形態を説明する。
【実施形態１】
【００１０】
図１は、本発明の第１実施形態の全体構成を示したものである。この図１に示すように、巻上機１は制御盤２により制御され、巻上機１から延びるロープの一端に吊り下げられたカゴ３を昇降させる。制御盤２には、乗り場操作盤４からの昇降操作入力が与えられる。
【００１１】
カゴ３内には、指紋読取部５が設けられ、この指紋読取部５は指紋判断手段６に接続されている。カゴ３内の指紋読取部５で読み取った利用者の指紋を指紋判断手段６で判断し、その判断結果を制御盤２に与える。
【００１２】
これらの構成により、指紋認証により利用者を識別した上でエレベータの昇降制御が行われる。
【００１３】
ここで、指紋読取部５には、紫外線照射装置７から紫外線が照射されるように構成されているが、紫外線照射装置７はエレベータの利用者がいない時にのみ起動される。すなわち、乗り場呼び操作盤４やかご内呼び操作盤（図示せず）、あるいは指紋判断手段６などから所定時間にわたり信号の入力が無い場合、制御盤２はエレベータの利用者がいないと判断する。そして、制御盤２は指紋判断手段６を介して紫外線照射指令信号８を生成し、紫外線照射装置７に紫外線を照射する。
【００１４】
このような紫外線照射の動作は、エレベータの利用者がいない時に任意に行われるように設定することができる。しかし設定方法としては、例えば前回の紫外線照射から少なくとも所定時間（数分）経過後に次回の紫外線照射を行うとか、利用者による呼び登録を所定回数（数回）受けた後に次回の紫外線照射を行うとか、目的や要求に応じて各種の設定が可能である。もちろん、エレベータの休止中（パーキング操作が行われている時など）や待機中などに紫外線照射を行うこともできる。
【００１５】
そしてこのような本発明によれば、多くの利用者の認証に供される指紋読取部５が自動的に殺菌されるため、指紋読取部５が常に清潔に保たれると共に読取り精度の低下が防止される。そして、利用者の衛生面に配慮したエレベータのセキュリティが実現する。
【実施形態２】
【００１６】
図２は、本発明の第２の実施形態を示したものである。この第２の実施形態では、紫外線照射装置７が階床乗り場に設置されている。そして、紫外線照射装置７の近傍に人感センサ９が設けられている。
【００１７】
これにより、人感センサ９が利用者のいないことを感知しているときに、指紋判断手段６が紫外線照射装置７を作動させて指紋読取部５の殺菌を行うことができる。したがって、エレベータの休止中や待機中などを利用して、サービス運転を妨げることなく殺菌を行うことができる。
【実施形態３】
【００１８】
図３は、本発明の第３実施形態を示したものである。この第３の実施形態では、指紋読取部５の読取り面を帯状の薄いシート１０が覆っている。利用者の指紋はこのシート１０を介して読取られる。そしてシート１０は、巻取装置１１により循環供給および循環回収され、移動経路の途中に設けられたシート清掃装置１２内で紫外線が照射されるなどして清掃される。  
これにより、指紋読取部５は常に清潔に保たれる。
【実施形態４】
【００１９】
図４は、本発明の第４実施形態を示したものである。この第４実施形態は、カゴ３内にある指紋読取部５の読取り面に開閉式カバー１３を設けて、指紋読取部５の読取り面への塵埃の付着を抑制するものである。
【００２０】
これにより、エレベータの休止中や待機中などにおける指紋読取部５の殺菌中において紫外線の漏れを防止することができる。よって、紫外線の利用効率の向上、および紫外線漏れによる他の機器への悪影響を防止することもできる。
【００２１】
図５は、本発明の第４実施形態の動作を示すフローチャートである。このフローチャートに示すように、指紋読取部５に開閉式カバー１３を有する実施形態４では、エレベータのドア開閉との関連において開閉式カバー１３の開閉、および紫外線による殺菌処理を行う。
【００２２】
すなわち、ステップ１０１においてドアが閉じているか否かを判断し、閉じていなければステップ１０２による指紋スキャン待ちを経てステップ１０３による指紋スキャンありか否かの判断を行う。指紋スキャンがなければステップ１０１に戻り、指紋スキャンがあればステップ１０４による指紋認証処理を行ってからステップ１０１に戻る。
【００２３】
一方、ステップ１０１でドアが閉じていれば、ステップ１０５により開閉式カバー１３を閉じてステップ１０６による殺菌処理を行い、ドアが開いてないことをステップ１０７で確認している間、殺菌処理を続ける。ドアが開いたらステップ１０８により開閉式カバー１３を開いてステップ１０２に移り、指紋のスキャン待ちとなる。
【００２４】
なお、ステップ１０１におけるドア閉とは、利用者による指紋スキャンが完了している状態を意味している。
【００２５】
このように、エレベータのドアが閉じるとともに指紋読取部５の開閉式カバー１３も閉じるため、指紋読取部５へのガム詰め等のいたずらを防止し指紋読取部５を保護することができる。
【実施形態５】
【００２６】
図６は、本発明の第５実施形態を示したものである。この第５実施形態は、指紋読取部５および人感センサ９を階床乗り場に設け、かつ指紋読取部５に開閉式カバー１３を設けたものである。
【００２７】
これにより、第４実施形態と同様に、指紋読取部５自体を保護すること、ならびにエレベータの休止中や待機中などにおける紫外線を用いた指紋読取部５の殺菌中において、紫外線の利用効率の向上、および紫外線漏れによる他の機器への悪影響を防止することができる。
【実施形態６】
【００２８】
図７は、本発明の第６実施形態を示したものである。この第６実施形態では、指紋読取部５の近傍、たとえば開閉式カバー１３の上部に、「紫外線殺菌中」なる表示を行う表示部１４が設けられている。なお、表示部１４はここでは図示を省略した紫外線照射指令信号８に応じて点灯するようになっている。
【００２９】
これにより、開閉式カバー１３が閉じている状態では指紋読取部５が紫外線による殺菌中であることを利用者に認識させることができると共に開閉式カバー１３が故障で閉じているのではないことを利用者に認識させることができる。
【実施形態７】
【００３０】
図８は、本発明の第７実施形態を示したものである。この第７実施形態は、カゴ３内に火気検出手段１６を有するもので、その検出信号を指紋判断手段６に送るように構成されている。火気検出手段１６が火気や熱を検出した場合、開閉式カバー１３を閉じるように制御される。なお、火気検出手段１６は、階床乗り場に設けてもよい。
【００３１】
これにより、火気検出手段１６がカゴ３内で火気を検出した場合に指紋判断手段６が開閉式カバー１３を閉じるので、指紋読取部５がタバコやライターなどによっていたずらされることを防止できる。
【図面の簡単な説明】
【００３２】
【図１】本発明の実施形態１の構成を示す説明図。
【図２】本発明の実施形態２の構成を示す説明図。
【図３】本発明の実施形態３の構成を示す説明図。
【図４】本発明の実施形態４の構成を示す説明図。
【図５】本発明の実施形態４の動作を示すフローチャート。
【図６】本発明の実施形態５の構成を示す説明図。
【図７】本発明の実施形態６の構成を示す説明図。
【図８】本発明の実施形態７の構成を示す説明図。
【図９】従来の指紋認証システムを有するエレベータの構成を示す説明図。
【符号の説明】
【００３３】
１  巻上機
２  制御盤
３  カゴ
４  乗り場操作盤
５  指紋読取部
６  指紋判断手段
７  紫外線照射装置
８  紫外線照射指令信号
９  人感センサ
１０  シート
１１  シート巻取装置
１２  シート清掃装置
１３  指紋読取部カバー
１４  表示部
１６  火気検出手段
１７  火気検出信号
【図１】
2006188328.tif 000003
【図２】
2006188328.tif 000004
【図３】
2006188328.tif 000005
【図４】
2006188328.tif 000006
【図５】
2006188328.tif 000007
【図６】
2006188328.tif 000008
【図７】
2006188328.tif 000009
【図８】
2006188328.tif 000010
【図９】
2006188328.tif 000011